(57)【特許請求の範囲】
【請求項１】
無線通信のためにアクセスポイントによって実施される方法であって、
１つまたは複数のサブフレームにおける送信をスケジュールするための制御情報を生成することと、
少なくとも１つのフィールドをともなうダウンリンク制御チャネルにおいてユーザ装置へ前記制御情報を送信することと、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
を備える方法。
【請求項２】
複数のサブフレームおよび複数のコンポーネントキャリアの異なる組み合わせへの前記少なくとも１つのフィールドの値のマッピングを前記ユーザ装置へシグナリングすることをさらに備える、請求項１に記載の方法。
【請求項３】
前記シグナリングは、
複数のサブフレームおよび複数のコンポーネントキャリアの異なる組み合わせへの前記少なくとも１つのフィールドの値の第１のマッピングを第１のユーザ装置へシグナリングすることと、
複数のサブフレームおよび複数のコンポーネントキャリアの異なる組み合わせへの前記少なくとも１つのフィールドの値の第２のマッピングを第２のユーザ装置へシグナリングすることと、
を備える、請求項２に記載の方法。
【請求項４】
前記少なくとも１つのフィールドの前記値のうちの少なくとも１つは、前記制御情報が同じコンポーネントキャリアの複数のダウンリンクサブフレームに適用されることとなることを示す、請求項１に記載の方法。
【請求項５】
前記複数のダウンリンクサブフレームは、前記ダウンリンク制御チャネルが送信される前記ダウンリンクサブフレームを備える、請求項４に記載の方法。
【請求項６】
前記ダウンリンク制御チャネルは第１のコンポーネントキャリア上で送信され、
前記少なくとも１つのフィールドの前記値のうちの少なくとも１つは前記制御情報が第２のコンポーネントキャリアの１つまたは複数のサブフレームに適用されることとなることを示す、請求項１に記載の方法。
【請求項７】
前記少なくとも１つのフィールドは、
キャリアインジケータフィールドと、
アップリンクインデックスまたはダウンリンクインデックスのうちの少なくとも１つと
を備える少なくとも２つのフィールドを備える、請求項１に記載の方法。
【請求項８】
前記制御情報は１つまたは複数の電力制御コマンドを備える、請求項１に記載の方法。
【請求項９】
前記少なくとも１つのフィールドは複数の異なる電力制御コマンドが複数の異なるアップリンクサブフレームへ適用されることを示す、請求項８に記載の方法。
【請求項１０】
前記少なくとも１つのフィールドは複数の異なる電力制御コマンドが複数の異なるコンポーネントキャリアへ適用されることを示す、請求項８に記載の方法。
【請求項１１】
無線通信のためにユーザ装置によって実施される方法であって、
少なくとも１つのフィールドをともなうダウンリンク制御チャネルにおいて制御情報を受信することと、ここにおいて、前記少なくとも１つのフィールドの異なる値は前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定することと、
を備える方法。
【請求項１２】
複数のサブフレームおよび複数のコンポーネントキャリアの異なる組み合わせへの前記少なくとも１つのフィールドの値のマッピングを示すシグナリングを基地局から受信することをさらに備える、請求項１１に記載の方法。
【請求項１３】
前記示されたマッピングの値は複数の異なるユーザ装置（ＵＥ）について異なる、請求項１２に記載の方法。
【請求項１４】
前記少なくとも１つのフィールドの前記値のうちの少なくとも１つは前記制御情報が同じコンポーネントキャリアの複数のダウンリンクサブフレームに適用されることを示す、請求項１１に記載の方法。
【請求項１５】
前記複数のダウンリンクサブフレームは、前記ダウンリンク制御チャネルが送信される前記ダウンリンクサブフレームを備える、請求項１４に記載の方法。
【請求項１６】
前記ダウンリンク制御チャネルは第１のコンポーネントキャリア上で受信され、
前記少なくとも１つのフィールドの前記値のうちの少なくとも１つは前記制御情報が第２のコンポーネントキャリアの１つまたは複数のサブフレームに適用されることを示す、請求項１１に記載の方法。
【請求項１７】
前記少なくとも１つのフィールドは、
キャリアインジケータフィールドと、
アップリンクインデックスまたはダウンリンクインデックスのうちの少なくとも１つと、
を備える少なくとも２つのフィールドを備える、請求項１１に記載の方法。
【請求項１８】
前記制御情報は１つまたは複数の電力制御コマンドを備える、請求項１１に記載の方法。
【請求項１９】
前記少なくとも１つのフィールドは複数の異なる電力制御コマンドが複数の異なるアップリンクサブフレームへ適用されることを示す、請求項１８に記載の方法。
【請求項２０】
前記少なくとも１つのフィールドは複数の異なる電力制御コマンドが複数の異なるコンポーネントキャリアへ適用されることを示す、請求項１８に記載の方法。
【請求項２１】
無線通信のための装置であって、
１つまたは複数のサブフレームにおける送信をスケジュールするための制御情報を生成するための手段と、
少なくとも１つのフィールドをともなうダウンリンク制御チャネルにおいてユーザ装置へ前記制御情報を送信するための手段を備え、前記少なくとも１つのフィールドの異なる値は前記制御情報が適用されることとなる１つまたは複数のサブフレームおよび１つまたは複数のコンポーネントキャリアの異なる組み合わせを示す、装置。
【請求項２２】
複数のサブフレームおよび複数のコンポーネントキャリアの異なる組み合わせへの前記少なくとも１つのフィールドの値のマッピングを前記ユーザ装置へシグナリングするための手段をさらに備える、請求項２１に記載の装置。
【請求項２３】
前記シグナリングは、
複数のサブフレームおよび複数のコンポーネントキャリアの異なる組み合わせへの前記少なくとも１つのフィールドの値の第１のマッピングを第１のユーザ装置へシグナリングするための手段と、
複数のサブフレームおよび複数のコンポーネントキャリアの異なる組み合わせへの前記少なくとも１つのフィールドの値の第２のマッピングを第２のユーザ装置へシグナリングするための手段と、
を備える、請求項２２に記載の装置。
【請求項２４】
前記少なくとも１つのフィールドの前記値の少なくとも１つは前記制御情報が同じコンポーネントキャリアの複数のダウンリンクサブフレームに適用されることを示す、請求項２１に記載の装置。
【請求項２５】
前記マルチプルダウンリンクサブフレームは前記ダウンリンク制御チャネルが送信される前記ダウンリンクサブフレームを備える、請求項２４に記載の装置。
【請求項２６】
前記ダウンリンク制御チャネルは第１のコンポーネントキャリア上で送信され、
前記少なくとも１つのフィールドの前記値のうちの少なくとも１つは前記制御情報が第２のコンポーネントキャリアの１つまたは複数のサブフレームに適用されることを示す、請求項２１に記載の装置。
【請求項２７】
前記少なくとも１つのフィールドは、
キャリアインジケータフィールドと、
アップリンクインデックスまたはダウンリンクインデックスのうちの少なくとも１つと、
を備える少なくとも２つのフィールドを備える、請求項２１に記載の方法。
【請求項２８】
前記制御情報は１つまたは複数の電力制御コマンドを備える、請求項２１に記載の装置。
【請求項２９】
前記少なくとも１つのフィールドは複数の異なる電力制御コマンドが複数の異なるアップリンクサブフレームに適用されることを示す、請求項２８に記載の装置。
【請求項３０】
前記少なくとも１つのフィールドは複数の異なる電力制御コマンドが複数の異なるコンポーネントキャリアに適用されることを示す、請求項２８に記載の装置。
【請求項３１】
無線通信のための装置であって、
少なくとも１つのフィールドをともなうダウンリンク制御チャネルにおいて制御情報を受信するための手段と、ここにおいて、前記少なくとも１つのフィールドの異なる値は前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定するための手段と、
を備える装置。
【請求項３２】
複数のサブフレームおよび複数のコンポーネントキャリアの異なる組み合わせへの前記少なくとも１つのフィールドの値のマッピングを示すシグナリングを基地局から受信するための手段をさらに備える、請求項３１に記載の装置。
【請求項３３】
前記示された値のマッピングは複数の異なるユーザ装置（ＵＥ）について異なる、請求項３２に記載の装置。
【請求項３４】
前記少なくとも１つのフィールドの前記値の少なくとも１つは前記制御情報が同じコンポーネントキャリアの複数のダウンリンクサブフレームに適用されることを示す、請求項３１に記載の装置。
【請求項３５】
前記複数のダウンリンクサブフレームは前記ダウンリンク制御チャネルが送信されることとなる前記ダウンリンクサブフレームを備える、請求項３４に記載の装置。
【請求項３６】
前記ダウンリンク制御チャネルは第１のコンポーネントキャリア上で受信され、
前記少なくとも１つのフィールドの前記値の少なくとも１つは前記制御情報が第２のコンポーネントキャリアの１つまたは複数のサブフレームに適用されることとなることを示す、請求項３１に記載の装置。
【請求項３７】
前記少なくとも１つのフィールドは、
キャリアインジケータフィールドと、
アップリンクインデックスまたはダウンリンクインデックスのうちの少なくとも１つと、
を備える少なくとも２つのフィールドを備える、請求項３１に記載の装置。
【請求項３８】
前記制御情報は１つまたは複数の電力制御コマンドを備える、請求項３１に記載の装置。
【請求項３９】
前記少なくとも１つのフィールドは複数の異なる電力制御コマンドが複数の異なるアップリンクサブフレームに適用されることを示す、請求項３８に記載の装置。
【請求項４０】
前記少なくとも１つのフィールドは複数の異なる電力制御コマンドが複数の異なるコンポーネントキャリアに適用されることを示す、請求項３８に記載の装置。
【請求項４１】
無線通信のための装置であって、
１つまたは複数のサブフレームにおける送信をスケジュールするための制御情報を生成するように構成される生成コンポーネントと、
少なくとも１つのフィールドをともなうダウンリンク制御チャネルにおいてユーザ装置へ前記制御情報を送信するように構成される送信コンポーネントと、
を備え、
前記少なくとも１つのフィールドの異なる値は前記制御情報が適用されることとなる１つまたは複数のサブフレームおよび１つまたは複数のコンポーネントキャリアの異なる組み合わせを示す、装置。
【請求項４２】
無線通信のための装置であって、
少なくとも１つのフィールドをともなうダウンリンク制御チャネルにおいて制御情報を受信するように構成される受信コンポーネントと、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組合わせを前記少なくとも１つのフィールドの値に基づいて決定されるように構成されるスケジューリングコンポーネントと、
を備える装置。
【請求項４３】
無線通信のために１つまたは複数のプロセッサによって実行可能なプログラムを格納したコンピュータ可読記憶媒体であり、前記プログラムは、  
１つまたは複数のサブフレームにおける送信をスケジュールするための制御情報を生成するための複数の命令と、
少なくとも１つのフィールドをともなうダウンリンク制御チャネルにおいてユーザ装置へ前記制御情報を送信するための複数の命令とを備え、
前記少なくとも１つのフィールドの異なる値は前記制御情報が適用されることとなる１つまたは複数のサブフレームおよび１つまたは複数のコンポーネントキャリアの異なる組み合わせを示す、コンピュータ可読記憶媒体。
【請求項４４】
無線通信のために１つまたは複数のプロセッサによって実行可能なプログラムを格納したコンピュータ可読記憶媒体であり、前記プログラムは、  
少なくとも１つのフィールドをともなうダウンリンク制御チャネルにおいて制御情報を受信するための複数の命令と、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定するための複数の命令と、
を備えるコンピュータ可読記憶媒体。
【発明の詳細な説明】
【関連出願】
【０００１】
［米国特許法第119条に基づく優先権の主張］
本願は、２００９年１１月２日付けで出願された「Apparatus and Method For Cross-Carrier Indication And Cross-Subframe Indication In LTE-A Wireless Communication System」という名称の米国仮特許出願第61/257,300に基づいて優先権を主張するものであって譲受人に譲渡され、参照によって本願に明確に組み込まれる。
【技術分野】
【０００２】
本願は、一般に通信に関係し、より詳細には、マルチキャリア無線通信ネットワークにおける送信をスケジュールするための情報を制御することに関する。
【背景技術】
【０００３】
第３世代パートナーシッププロジェクト(３ＧＰＰ：the 3rd Generation Partnership Project)ロングタームエボリューション（ＬＴＥ：Long Term Evolution）は、セルラ技術における主要な進歩を代表し、モバイル通信のためのグローバルシステム（ＧＳＭ(登録商標)：Global System for Mobile Communications）およびユニバーサル・モバイルテレコミュニケーション・システム（ＵＭＴＳ：Universal Mobile Telecommunications System）の自然な発展としてのセルラ３Ｇサービスにおける次の前進である。ＬＴＥは、毎秒５０メガバイト（Ｍｂｐｓ）までのアップリンクスピードおよび１００Ｍｂｐｓまでのダウンリンクスピードに備え、セルラネットワークに多くの技術的利点をもたらす。ＬＴＥは、この１０年に及ぶ高速データおよびメディア伝送、ならびに高容量音声サポートに関するキャリアのニーズを満たすように設計されている。帯域幅は１．２５ＭＨｚから２０ＭＨｚまで拡張可能である。これは、異なる帯域幅割当てを有する異なるネットワークオペレータのニーズに適し、また、オペレーターが、スペクトルに基づいて異なるサービスを提供することを可能にする。ＬＴＥはまた、３Ｇネットワークにおけるスペクトル効率を改善して、所与の帯域幅上でキャリアがより多くのデータおよび音声サービスを提供することを可能にすると期待される。
【０００４】
ＬＴＥ規格の物理レイヤ（ＰＨＹ：Physical layer）は、強化された基地局(ｅＮｏｄｅＢ)とモバイルユーザ装置(ＵＥ)との間でデータおよび制御情報の両方を伝送する非常に効率的な手段である。ＬＴＥ  ＰＨＹは、セルラアプリケーションには新しい高度な技術を採用する。これらは、直行周波数分割多重化（ＯＦＤＭ：Orthogonal Frequency division Multiplexing）および多入力多出力（ＭＩＭＯ：Multiple Input Multiple Output）データ送信を含む。さらに、ＬＴＥ  ＰＨＹは、ダウンリンク（ＤＬ：downlink）上で直行周波数分割多元接続（ＯＦＤＭＡ：Orthogonal Frequency Division Multiple Access）を使用し、アップリンク（ＵＬ：uplink）上で単一搬送波周波数分割多元接続（ＳＣ−ＦＤＭＡ：Single Carrier-Frequency Division Multiple Access）を使用する。ＯＦＤＭＡは、指定された数のシンボル期間の間、サブキャリアごとをベースにデータが複数のユーザへ向けられるまたは複数のユーザから向けられることとなることを可能にする。
【発明の概要】
【０００５】
ある態様によれば、無線通信のための方法が提供される。この方法は、一般に、１つまたは複数のサブフレームにおける送信をスケジュールするための制御情報を生成し、ダウンリンク制御チャネルにおいてユーザ装置へ制御情報を送信することを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。
【０００６】
ある態様によれば、無線通信のための方法が提供される。この方法は、一般に、ダウンリンク制御チャネルにおいて制御情報を受信することを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。この方法はまた、制御情報が適用されることとなる１つまたは複数のサブフレームおよび１つまたは複数のコンポーネントキャリアの組み合わせを少なくとも１つのフィールドの値に基づいて決定することを含む。
【０００７】
ある態様によれば、無線通信のための装置が提供される。この装置は、一般に、１つまたは複数のサブフレームにおける送信をスケジュールするための制御情報を生成するための手段と、ダウンリンク制御チャネルにおいてユーザ装置へ制御情報を送信するための手段とを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。
【０００８】
ある態様によれば、無線通信のための装置が提供される。この装置は、一般に、ダウンリンク制御チャネルにおいて制御情報を受信するための手段を含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。この装置はまた、制御情報が適用されることとなる１つまたは複数のサブフレームおよび１つまたは複数のコンポーネントキャリアの組み合わせを少なくとも１つのフィールドの値に基づいて決定するための手段を含む。
【０００９】
ある態様によれば、無線通信のための装置が提供される。この装置は、一般に、１つまたは複数のサブフレームにおける送信をスケジュールするための制御情報を生成するように構成されるスケジューリングコンポーネントと、ダウンリンク制御チャネルにおいてユーザ装置へ制御情報を送信するように構成される送信コンポーネントとを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。
【００１０】
ある態様によれば、無線通信のための装置が提供される。この装置は、一般に、ダウンリンク制御チャネルにおいて制御情報を受信するように構成される受信コンポーネントを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。この装置はまた、制御情報が適用されることとなる１つまたは複数のサブフレームおよび１つまたは複数のコンポーネントキャリアの組み合わせを少なくとも１つのフィールドの値に基づいて決定するように構成されるスケジューリングコンポーネントを含む。
【００１１】
ある態様によれば、記憶される複数の命令を有するコンピュータ可読媒体を備える、無線通信のためのコンピュータ・プログラム・プロダクトが提供される。これら命令は、１つまたは複数のプロセッサによって実行可能であり、一般に、１つまたは複数のサブフレームにおける送信をスケジュールするための制御情報を生成するための命令と、ダウンリンク制御チャネルにおいてユーザ装置へ制御情報を送信するための命令とを含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。
【００１２】
ある態様によれば、記憶される複数の命令を有するコンピュータ可読媒体を備える、無線通信のためのコンピュータ・プログラム・プロダクトが提供される。これら命令は、１つまたは複数のプロセッサによって実行可能であり、一般に、ダウンリンク制御チャネルにおいて制御情報を受信するための複数の命令を含む。制御情報は、制御情報が適用されることとなる１つまたは複数のサブフレームおよび１つまたは複数のコンポーネントキャリアの異なる組み合わせを示す異なる値を有する少なくとも１つのフィールドを含むことができる。これら命令はまた、制御情報が適用されることとなる１つまたは複数のサブフレームおよび１つまたは複数のコンポーネントキャリアの組み合わせを少なくとも１つのフィールドの値に基づいて決定するための複数の命令を含む。
【図面の簡単な説明】
【００１３】
【図１】図１は、本開示のある態様に従って、マルチキャリア多元接続無線通信システムを例示する。
【図２】図２は、本開示のある態様に従って、マルチキャリア多元接続無線通信システムのコンポーネントの一例のブロック図を例示する。
【図３】図３は、本開示のある態様に従って、無線通信システムのコンポーネントの一例を例示する。
【図４】図４は、本開示のある態様に従って、マルチキャリアシステムにおける送信をスケジュールするための動作の一例を例示する。
【図５】図５は、本開示のある態様に従って、クロスキャリア／クロスサブフレーム・インジケータ・フィールド・マッピングの一例を例示する。
【図６】図６は、本開示のある態様に従って、クロスキャリア／クロスサブフレーム・インジケータ・フィールド・マッピングの一例を例示する。
【図７】図７は、本開示のある態様に従って、クロスキャリア／クロスサブフレーム・インジケータ・フィールド・マッピングの一例を例示する。
【図８Ａ】図８Ａは、本開示のある態様に従って、クロスキャリア／クロスサブフレーム・マッピングコンポーネントの一例を例示する。
【図８Ｂ】図８Ｂは、本開示のある態様に従って、クロスキャリア／クロスサブフレーム・マッピングコンポーネントの一例を例示する。
【発明の詳細な説明】
【００１４】
図面を参照して、様々な態様がこれから説明される。以下の記述では、説明の目的で、多数の特定の詳細が１つまたは複数の態様の完全な理解を提供するために述べられる。しかしながら、そのような態様（単数または複数）は、これら特定の詳細によらずに実施できることが判るはずである。
【００１５】
本願で使用されるように、用語「コンポーネント」、「モジュール」、「システム」、および同様の用語は、それに限定されないが、ハードウェア、ファームウェア、ハードウェアとソフトウェアとの組み合わせ、ソフトウェア、または実行中ソフトウェアのようなコンピュータ関連エンティティを含むことを意図するものである。例えば、コンポーネントは、それに限定されないが、プロセッサ上で実行中のプロセス、プロセッサ、オブジェクト、実行可能、実行スレッド、プログラム、および／またはコンピュータでありうる。例示として、コンピュータ計算デバイス上で実行中のアプリケーションおよびコンピュータ計算デバイスの両方はコンポーネントでありうる。１つまたは複数のコンポーネントがプロセスおよび／または実行スレッド内に存在でき、コンポーネントが１つのコンピュータ上に局在でき、および／または２つ以上のコンピュータ間で分散できる。さらに、これらコンポーネントは、様々なデータ構造を格納する様々なコンピュータ可読媒体から実行できる。これらコンポーネントは、ローカルシステム、分散されたシステムで他のコンポーネントと対話する１つのコンポーネントからのデータのような、１つまたは複数のデータパケットを有する信号に従うおよび／またはこの信号の形式で複数の他のシステムとインターネットのようなネットワークをわたる遠隔および／またはローカルプロセスの形式で通信できる。
【００１６】
さらに、様々な態様が有線端末または無線端末であり得る端末との関係において本願で説明される。また、端末はシステム、デバイス、加入者ユニット、加入者局、モバイル局、モバイル、モバイルデバイス、遠隔局、遠隔端末、アクセス端末、ユーザ端末、端末、通信デバイス、ユーザエージェント、ユーザデバイス、またはユーザ装置（ＵＥ）と呼ばれることができる。無線端末は、携帯電話、衛星電話、コードレス電話、セッションイニシエーションプロトコル（ＳＩＰ：Session Initiation Protocol）電話、無線ローカルループ（ＷＬＬ：wireless local loop）局、携帯情報端末（ＰＤＡ：personal digital assistant）、無線接続機能を有するハンドヘルドデバイス、コンピュータ計算デバイス、または無線モデムに接続された他の処理デバイスであり得る。さらに、様々な態様が基地局との関係において本願で説明される。基地局は、無線端末（単数または複数）との通信に利用でき、アクセスポイント、ノードＢ、eノードＢ（eＮＢ）、あるいは何か他の用語で呼ばれてよい。
【００１７】
さらに、用語「または（or）」は、排他的な「または」よりもむしろ包括的な「または」を意味するよう意図される。すなわち、特定されない限り、または文脈から明らかでない限り、「Ｘは、ＡまたはＢを採用する」というのは、自然な包括的な順列のうちの任意のものを意味するように意図される。すなわち、「Ｘは、ＡまたはＢを採用する」は、次の例のうちのいずれによっても満たされる：Ｘは、Ａを採用する、Ｘは、Ｂを採用する、または、Ｘは、ＡおよびＢを採用する。加えて、本願および添付の特許請求の範囲において使用される冠詞「a」および「an」は、特に明示的に述べられない限り、または単数形で示されるべきことが文脈から明白でない限り、「１つまたは複数」を意味すると一般に解釈されるべきである。
【００１８】
本願において説明された技術は、符号分割多元接続（ＣＤＭＡ：Code Division Multiple Access）ネットワーク、時分割多元接続（ＴＤＭＡ：Time Division Multiple Access）ネットワーク、周波数分割多元接続（ＦＤＭＡ：Frequency Division Multiple Access）ネットワーク、直行ＦＤＭＡ（ＯＦＤＭＡ：Orthogonal FDMA）ネットワーク、単一搬送波ＦＤＭＡ（ＳＣ−ＦＤＭＡ：Single-Carrier FDMA）ネットワークなどのような様々な無線通信ネットワークのために使用されうる。「ネットワーク」および「システム」という用語は、しばしば区別なく使用される。ＣＤＭＡネットワークは、全地球上の無線接続（ＵＴＲＡ：Universal Terrestrial Radio access）、ＣＤＭＡ２０００などのような無線技術を実装しうる。ＵＴＲＡは、広帯域ＣＤＭＡ（Ｗ−ＣＤＭＡ）および低いチップレート（ＬＣＲ）を含む。ＣＤＭＡ２０００は、ＩＳ−２０００、ＩＳ−９５、およびＩＳ−８５６規格をカバーする。ＴＤＭＡネットワークは、モバイル通信のためのグローバルシステム（ＧＳＭ）のような無線技術を実装しうる。
【００１９】
ＯＦＤＭネットワークは、発展したＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（商標登録）などのような無線技術を実装しうる。ＵＴＲＡ、Ｅ−ＵＴＲＡ、およびＧＳＭは、ユニバーサルモバイル・テレコミュニケーションシステム（ＵＭＴＳ）の一部である。ロングタームエボリューション（ＬＴＥ）は、Ｅ−ＵＴＲＡを使用するＵＭＴＳの最近のリリースである。ＵＴＲＡ、Ｅ−ＵＴＲＡ、ＧＳＭ、ＵＭＴＳ、およびＬＴＥは、「第３世代パートナーシッププロジェクト（３ＧＰＰ）」という名称の組織からの文献において説明されている。ＣＤＭＡ２０００は、「第３世代パートナーシッププロジェクト２（３ＧＰＰ２）」という名称の組織からの文献において説明されている。これら様々な無線技術および規格は、当業者に既知である。明確さのために、本技術のある態様は、ＬＴＥに関して以下で説明され、以下の説明の多くの中でＬＴＥ用語が使用される。
【００２０】
単一のキャリア変調および周波数ドメイン等価を利用する単一のキャリア周波数分割多元接続（ＳＣ−ＦＤＭＡ）は、ＯＦＤＭＡシステムのものと類似するパフォーマンスおよび実質的に同じ全体的な複雑性を有する。ＳＣ−ＦＤＭＡ信号は、その固有の単一キャリア構造のために、より低いピーク対平均電力比（ＰＡＰＲ：peak-to-average power ratio）を有する。ＳＣ−ＦＤＭＡは、特に、送信電力効率の観点でより低いＰＡＰＲがモバイル端末の利益になるアップリンク通信において大きな注目を引いた。
【００２１】
図１を参照して、本開示のある態様に従ってマルチキャリア無線通信システム１００が例示される。
【００２２】
アクセスポイント１０２（ＡＰ）は、ユーザ装置（ＵＥ）１１６、１２２と通信するための１つまたは複数のアンテナ１１０を含む。アクセスポイント１０２は、固定局であってもよく、また、基地局、ノードＢ、発展したノードＢ（ｅＮＢ）またはいくつかの他の用語で呼ばれてもよい。
【００２３】
ＵＥ１１６、１２２は、以前に示されたような無線端末または他のデバイスであることができる。図示されるように、第１のユーザ装置（ＵＥ）１１６は、マルチキャリア（「コンポーネントキャリア」または「ＣＣ」とも呼ばれる）を利用する１つまたは複数のアップリンク１２０およびダウンリンク１１８を通してアクセスポイント１０２と通信しうる。例示的に、複数のＣＣは、複数のアップリンク（１２０ａ−１２０ｍ）および複数のダウンリンク（１１８ａ−１１８ｎ）のために使用される。この事例において、アップリンクの数よりもダウンリンクの数の方が多く図示されているが、ある態様に従って、同じ（対照的な）数のダウンリンクおよびアップリンクが構成されることができ、またはダウンリンクの数よりもアップリンクの数の方が多く構成できる。
【００２４】
例示されるように、第２のＵＥ１２２はまた、複数のＣＣを通してアクセスポイント１０２と通信するように構成できる。さらに、ＵＥは、ダウンリンク上で通信するために使用される１つまたは複数のＣＣと異なる１つまたは複数のＣＣとアップリンク上で通信するように構成できる。そのような構成は、対照的（アップリンクＣＣごとに１つのダウンリンクキャリア）であることができるか、または非対称（アップリンクおよびダウンリンクＣＣの数が異なる）であることができることが認識されるはずである。
【００２５】
無線通信システム１００は、追加のアクセスポイントを含むことができ、ＵＥ（図示されていない）および各ＵＥは、マルチキャリア動作のためにダウンリンクおよびアップリンクコンポーネントキャリアにより個々に構成できる。したがって、ＵＥ１１６および１２２の両方は、同じＣＣを使用して通信しているように例示されているのに対し、いくつかの場合には、異なるＵＥは、異なるＣＣと通信するように構成されていることができる。
【００２６】
以下により詳細に説明されるように、アクセスポイント１０２は、異なるサブフレーム（クロスサブフレーム）において生じる、異なるコンポーネントキャリア（クロスキャリア）上で生じる、または異なるサブフレームにおいておよび異なるコンポーネントキャリア上の両方で生じるＵＥのための送信を同時にスケジューリングすることができうる。スケジューリングは、ダウンリンクまたはアップリンク上でいつ送信が生じるのか、アップリンク送信上で適用されることとなる電力制御コマンド、ハイブリッド自動再送要求送信に関する情報、チャネル品質表示（ＣＱＩ）要求、および同様のもののような送信に関係する様々なタイプの情報を包含してよい。
【００２７】
図１に例示されるように、ある態様によれば、スケジューリング情報は、制御情報が適用されることとなる１つまたは複数のサブフレームおよび１つまたは複数のコンポーネントキャリアの異なる組み合わせを示す異なる値を有する少なくとも１つのフィールドをともなう物理ダウンリンク制御チャネル（ＰＤＣＣＨ）において送信できる。例えば、例示されるように、ＰＤＣＣＨは、クロスフレーム（ＳＦ）／クロスキャリアインジケータフィールド（ｘＳＦ／ＣＩＦ）１３２を含むことができる。以下でより詳細に説明されるように、ｘＳＦ／ＣＩＦフィールド１３２の異なる値は、異なるＣＣにわたる異なるサブフレームへマップできる。ｘＳＦ／ＣＩＦフィールド１３２は、単一のフィールドに限定されないが、１つ以上のフィールド（例えば、１つまたは複数のＣＣを指定するための単一のフィールド、および１つまたは複数のサブフレームを指定するための単一のフィールド）を含むことができることも認識されるはずである。
【００２８】
ある態様によれば、特定のマッピングは、ＡＰ１０２によってシグナルされることができ、マッピングは、周期的に（例えば、チャネルに対する状態の変化、干渉回避、および／またはローディングに基づいて）更新されることができ、複数の異なるＵＥへ異なるマッピングが提供できる。
【００２９】
図２は、マルチキャリア無線通信システム２００における例示的な基地局２１０およびアクセス端末２５０のコンポーネントの一例を図示するブロック図２００である。基地局２１０は、アクセスポイント１０２のようなアクセスポイントであることができ、アクセス端末２５０は、ＵＥ１１６のようなユーザ装置であることができる。
【００３０】
基地局２１０において、いくつかのデータストリームのためのトラフィックデータは、データソース２１２から送信（ＴＸ）データプロセッサ２１４へ提供される。コントローラ/プロセッサ２３０は、ＡＴ２５０へ送信されることとなる制御情報を生成しうる。例示されるように、プロセッサ２３０はまた、ｘＳＦ／ＣＩＦフィールドマップの異なる値が、異なるサブフレームおよび／またはコンポーネントキャリアへどのようにマップするかを示すマッピング情報をメモリ２３２から取り出すことができる。プロセッサ２３０は、ダウンリンク送信において送られたＰＤＣＣＨに包めるために、スケジューラ２３４から得られるＵＬ／ＤＬスケジューリング情報に基づいて、ｘＳＦ／ＣＩＦフィールドに関する適切な値を生成することにこの情報を利用できる。
【００３１】
ＴＸデータプロセッサ２１４は、データストリームごとに選択された特定の符号化方式に基づいて各データストリームのためのトラフィックデータをフォーマット化、符号化、およびインターリーブし、もって、符号化されたデータを提供する。データストリームのための符号化されたデータおよび制御情報は、ＯＦＤＭ技術を使用してパイロットデータと多重化できる。
【００３２】
パイロットデータは、典型的に、既知の方式で処理される既知のデータパターンであり、チャネル応答を推定するために受信機システムで使用できる。多重化されたパイロットおよびデータストリームごとに符号化されたデータは、次に、変調シンボルを提供するためにデータストリームごとに選択される特定の変調方式（例えば、２値位相シフトキーイング（ＢＰＳＫ）、４値位相シフトキーイング（ＱＰＳＫ）、Ｍが一般に２の累乗であるＭ−ＰＳＫ、またはＭ−ＱＡＭ（直行振幅変調））に基づいて変調される（例えば、シンボルマップされる）。データストリームごとのデータレート、符号化、および変調は、メモリ２３２と結合できるプロセッサ２３０によって実行される複数の命令によって決定できる。
【００３３】
全てのデータストリームのための変調シンボルは、次に、これら変調シンボル（例えば、ＯＦＤＭのための）をさらに処理できるＴＸ  ＭＩＭＯプロセッサ２２０へ提供される。ＴＸ  ＭＩＭＯプロセッサ２２０は、次に、ＮＴ個の変調シンボルストリームをＮＴ個の送信機（ＴＭＴＲ）２２２ａ乃至２２２ｔへ提供する。ある態様において、ＴＸ  ＭＩＭＯプロセッサ２２０は、データストリームのシンボルへ、並びにシンボルが送信されるアンテナへビームフォーミング重み付けを適用する。
【００３４】
送信機２２２は、１つまたは複数のアナログ信号を提供するためにダウンリンクコンポーネントキャリアごとにシンボルストリームを受信して処理し、さらに、ＭＩＭＯチャネル上の送信に適した変調された信号を提供するためにアナログ信号を条件付ける（例えば、増幅する、フィルタする、およびアップコンバートする）。送信機２２２ａ乃至２２２ｔからのＮＴ個の変調された信号は、次に、ＮＴ個のアンテナ２２４ａ乃至２２４ｔからそれぞれ送信される。
【００３５】
アクセス端末２５０において、ダウンリンクコンポーネントキャリアのための送信された変調された信号は、ＮＲ個のアンテナ２５２ａ乃至２５２ｒによって受信され、各アンテナ２５２からの受信された信号は、受信機２５４ａ乃至２５４ｒのそれぞれの受信機（ＲＣＶＲ）へ提供される。各受信機２５４は、それぞれの受信された信号を条件付け（例えば、フィルタし、増幅し、およびダウンコンバートし、）、サンプルを提供するために、条件づけられた信号をデジタル化し、対応する「受信された」シンボルストリームを提供するためにサンプルをさらに処理する。
【００３６】
ＲＸデータプロセッサ２６０は、次に、特定の受信機処理技術に基づいてＮＲ個の受信機２５４からＮＲ個の受信されたシンボルストリームを受信して処理し、ＮＴ個の「検出された」シンボルストリームを提供する。ＲＸデータプロセッサ２６０は、次に、ＰＤＣＣＨにおいて送信されるスケジューリング情報を含むトラフィックデータおよび制御情報を回復するために構成された、コンポーネントキャリアごとの各検出されたシンボルストリームを復調、デインターリーブ、および復号する。
【００３７】
ＲＸデータプロセッサ２６０による処理は、基地局２１０でＴＸ  ＭＩＭＯプロセッサ２２０およびＴＸデータプロセッサ２１４によって行われることに対して補完的であってよい。メモリ２７２へ結合されたコントローラ／プロセッサ２７０は、どのプリコーディング行列を使用するかを周期的に決定する（以下で議論される）。プロセッサ２７０はまた、行列インデックス部分およびランク値部分を備えるアップリンクメッセージを構築できる。
【００３８】
プロセッサ２７０は、ＰＤＤＣＨにおいて送られたスケジューリング情報を受信できる。プロセッサ２７０は、ｘＳＦ／ＣＩＦフィールドの値およびその値のマッピングに基づいて、どのサブフレームへおよびどのコンポーネントキャリア上にスケジューリング情報を適用するかを決定できる。マッピング情報は、より高いレイヤ構成メッセージのような個別の送信においてシグナルされることができ、それがプロセッサ２７０によって取り出せるメモリ２７２に記憶できる。
【００３９】
アップリンク（逆方向リンク）メッセージは、通信リンクおよび／または受信されたデータストリームに関する様々なタイプの情報を備えることができる。アップリンクメッセージは、ＴＸデータプロセッサ２３８によって処理できる。これはまた、データソース２３６からいくつかのデータストリームのためのトラフィックデータを受信し、変調器２８０によって変調され、送信機２５４ａ乃至２５４ｒによって条件付けられる。ダウンリンク制御情報により受信されるスケジューリング情報に基づいて、プロセッサ２７０は、メッセージを送信するためにどのサブフレームおよび／またはＣＣかを決定でき、また、１つまたは複数のそれのアップリンクコンポーネントキャリアの送信電力を調節できる。
【００４０】
基地局２１０において、アクセス端末２５０からのアップリンク送信は、アンテナ２２４によって受信され、受信機２２２によって条件付けられ、復調器２４０によって復調され、およびＲＸデータプロセッサ２４２によって処理され、もって、アクセス端末２５０によって送信された受信リンクメッセージを抽出する。基地局２１０でのプロセッサ２３０は、次に、ビームフォーミング重み付けを決定するためにどのプリコーディング行列を使用するかのような様々なパラメータを決定し、および抽出されたメッセージを処理することを継続できる。
【００４１】
マルチキャリア動作がサポートされるシステムでは、ＡＴ２５０は、モニタするように構成され、２つ以上のコンポーネントキャリア（ＣＣ）によってサービスされることができる。このようなシステムでは、クロスキャリアシグナリングが効率的な制御を容易にするためにサポートされうる。これは、可変的電力レベルで送信するアクセスポイントを有する異なるタイプのセル（例えば、マクロ、ピコ、およびフェムトセル）が、オーバーレイされる異種のネットワークの環境において特に望ましい場合がある。
【００４２】
クロスキャリアシグナリングは、いくつかの場合では、ＰＤＣＣＨにおいて０−３ビットとして実装されるキャリアインジケータフィールド（ＣＩＦ）を利用することによって、基地局２１０で実現できる。０ビットのＣＩＦ（ＣＩＦなし）は、ＰＤＣＣＨにおける制御情報が、所与のＣＣのみ（例えば、それが送信されるＣＣ上）のためであることを示すことができる。１−３ビットのＣＩＦは、ＰＤＣＣＨにおける情報が、所与のＣＣ、および他のＣＣを制御することを示すことができる。ＣＣへのＣＩＦのマッピングは、より高いレイヤのシグナリングによりアクセス端末２５０へ伝送できる。上述のように、そのようなＣＩＦフィールドはまた、制御情報が適用されることとなる１つまたは複数のサブフレームおよび１つまたは複数のコンポーネントキャリアの異なる組み合わせを示す異なる値を有するｘＳＦ／ＣＩＦフィールドとして実装できる。
【００４３】
例えば、初期バージョンの規格（「レガシーＡＴ」または「レガシーＵＥ」）と互換性があるアクセス端末へ後方互換性を提供するための異なるタイプのＣＣがある。ＣＣのそのような組み合わせは、強化されたＡＴスループットのみならず、特に異種のネットワークのための、より効率的な干渉管理をももたらすことができる。例えば、干渉を緩和するために、所与のサブフレームにおいて、潜在的に干渉するセル内のデバイスが送信しない間に１つのセル内のデバイスが送信できるように、リソースは、分割できる。このリソース分割は、異種のネットワークにおける全てのデバイスへ通信できる。
【００４４】
本開示に従って、１つまたは複数のアップリンクキャリアは、マルチキャリア動作ができるＡＴ（例えば、開発中ＬＴＥ規格に従って動作するＡＴ）へ割り当てられることができ、および１つまたは複数のコンポーネントキャリア上の１つまたは複数のサブフレームは、送信をスケジュールする目的のために識別できる。本開示のある特定の態様は、対象／非対称ＵＬ／ＤＬキャリア構成上の送信をスケジュールするためのマッピングルールを提供する。
【００４５】
ロングタームエボリューション（ＬＴＥ）規格リリース８のようなある規格に従い、複数の無線フレームは、複数のサブフレームに区分され、これらサブフレームをアップリンク送信とダウンリンク送信との間で異なるように区分するようにできる。例として、ＬＴＥリリース８のＴＤＤシステムのための１つの構成において、１つのフレーム内で、複数のサブフレームは以下の表１に示されるように区分される。
【表１】
0005420771.tif 000002
【００４６】
なお、Ｄはダウンリンクサブフレームを表し、Ｓはダウンリンク、ガード、およびアップリンクのためのシンボルを含む特別のサブフレームを表し、Ｕはアップリンクサブフレームを表す。
【００４７】
この構成に示されるように、１つの無線フレーム内にダウンリンクよりも多くのアップリンクサブフレームがある。その結果、１つのＰＤＣＣＨにおいて送られる制御情報は、２つ以上のアップリンクサブフレームを同時にスケジュールすることが望ましい場合がある。いくつかの態様によれば、これは、アップリンクインデックス（ＵＬインデックス）を利用して遂行できる。このＵＬインデックスは、例えば、ＰＤＣＣＨおよび／またはＰＨＩＣＨ送信が検出されたダウンリンク送信に対して、アップリンクサブフレームＰＵＳＣＨ送信がＨＡＲＱ目的のために使用されるべきことを示すことができる。また、ＵＬインデックスは電力制御コマンドが適用されることとなる１つまたは複数のアップリンクサブフレームを示すために使用できる。また、ＵＬインデックスはＣＱＩを報告する目的のためにサブフレームを指定するために使用できる。
【００４８】
ある態様によれば、送信をスケジュールするための制御情報をともなうＰＤＣＣＨは、スケジューリング制御情報が適用されることとなる１つまたは複数のクロスキャリア上で１つまたは複数のサブフレームを示すために１つまたは複数のフィールドを含むことができる。
【００４９】
図３は、本開示のある態様に従って、複数のサブフレームにわたる複数のＣＣのための送信をスケジュールするための制御情報を伝送できる通信システム３００の一例を例示する。
【００５０】
例示されるように、通信システム３００は、アクセスポイント３０２および１つまたは複数のユーザ装置３０４を備えることができ、これらの各々は図１−２に関連して説明されたとおりでよい。マルチキャリア動作の場合、アクセスポイント３０２がＵＥ３０４の各コンポーネントキャリアのために複数のサブフレームにわたってスケジューリング情報を生成でき、ＵＥ３０４へスケジューリング情報を送信できる。
【００５１】
ある態様によれば、アクセスポイント３０２はクロスサブフレーム（クロス―ＳＦ）キャリアインジケータフィールド（ＣＩＦ）および複数のサブフレームの異なる値のマッピングに関する情報をＵＥ３０４へ複数のコンポーネントキャリア上で送信できる。これらマッピングは、どのコンポーネントキャリア（単数または複数）へおよび／またはどのサブフレームへ制御情報が適用されるべきかをＵＥ３０４が決定することを可能にできる。都合よく、現在説明された実施形態では、マッピングがＵＥに固有であることができ、（例えば、より高いレイヤシグナリングを通して）動的に更新できる。これは、様々なシステム条件に適合することの助けとなることができ、リソースを区分することにおいてより大きな柔軟性をもたらし、例えば、異種のネットワークにおける干渉管理やロードバランスを可能にする。
【００５２】
１つの態様では、アクセスポイント３０２は、１つまたは複数のコンポーネントキャリア上の複数の異なるサブフレーム上のアップリンクおよびダウンリンク送信に関する情報を生成するスケジューリングコンポーネント３０６を含むことができる。スケジューリング情報は、上述のマッピングに基づいてｘＳＦ／ＣＩＦ値を生成するマッピングコンポーネント３０８へ提供できる。ＰＤＣＣＨ生成コンポーネント３１０は、マルチキャリア送信コンポーネント３１４による送信のためにスケジューリング情報およびｘＳＦ／ＣＩＦをともなうＰＤＣＣＨを生成できる。ＡＰ３０２はまた、ＰＤＣＣＨにおいて伝送されるスケジューリング情報に従って送信されるアップリンク送信を受信するように構成されるマルチキャリア受信コンポーネント３０５を含むことができる。
【００５３】
例示されるように、ＵＥ３０４は、アクセスポイント３０２において図示されるコンポーネントへの補完的な処理を行うためのコンポーネントを含むことができる。例えば、ＵＥ３０４は、マルチキャリアＲＸコンポーネント３１６、マッピングコンポーネント３１８、スケジューリングコンポーネント３２２、およびマルチキャリア送信コンポーネント３２０を含むことができる。マッピングコンポーネント３１８は、ｘＳＦ／ＣＩＦを受信でき、（例えば、より高いレイヤシグナリングを通して構成される）マッピング情報に基づいて、スケジューリング情報が関係する１つまたは複数のコンポーネントキャリアおよび／またはサブフレームを決定できる。スケジューリングコンポーネント３２２は、次に、ダウンリンク送信を処理することに使用するためにこの情報をＲＸコンポーネント３１６へ提供でき、およびアップリンク送信を処理することに使用するために（例えば、送信電力を調節するために、またはＨＡＲＱ  ＡＣＫ／ＮＡＣＫを送信するために）ＴＸコンポーネント３２０へ提供できる。
【００５４】
図４は、本開示のある態様に従って、複数のコンポーネントキャリアにわたっておよび／または複数のサブフレームにわたってデータ送信をスケジュールするために、それぞれ、アクセスポイントおよびユーザ装置によって行うことのできる動作４００および４５０の一例を例示する。
【００５５】
これら動作を行うアクセスポイントおよびＵＥは、図１−３のいずれかと関係して説明できる。例えば、典型的な動作４００は１つまたは複数のプロセッサ（プロセッサ２３０のような）によって、または１つまたは複数のコンポーネント（コンポーネント３０５−３１４のような）によって命じられることができるのに対し、典型的な動作４５０は１つまたは複数のプロセッサ（プロセッサ２７０のような）によって、または１つまたは複数のコンポーネント（コンポーネント３１６−３２２のような）によって命じられることができる。
【００５６】
４０２では、ＡＰが、１つまたは複数のサブフレームにおける送信をスケジュールするために制御情報を生成する。４０４において、ＡＰは、少なくとも１つのフィールドをともなうダウンリンク制御チャネルにおいてユーザ装置へ制御情報を送信する。ここで、少なくとも１つのフィールドの異なる値は、制御情報が適用されることとなる１つまたは複数のサブフレームおよび１つまたは複数のコンポーネントキャリアの異なる組み合わせを示す。例えば、ＡＰは、クロスサブフレームＣＩＦをともなうＰＤＣＣＨにおいて制御情報を送信できる。
【００５７】
４５２では、ＵＥが少なくとも１つのフィールドをともなうダウンリンク制御チャネルにおいて制御情報を受信する。ここで、少なくとも１つのフィールドの異なる値は、制御情報が適用されることとなる１つまたは複数のサブフレームおよび１つまたは複数のコンポーネントキャリアの異なる組み合わせを示す。４５４では、ＵＥが、少なくとも１つのフィールドの値に基づいて、制御情報が適用されることになる１つまたは複数のサブフレームおよび１つまたは複数のコンポーネントキャリアの組み合わせを決定する。
【００５８】
ある態様によれば、サブフレームおよびコンポーネントキャリアの異なる組み合わせへの少なくとも１つのフィールドの値の第１のマッピングが第１のユーザ装置へシグナルされることができ、サブフレームおよびコンポーネントキャリアの異なる組み合わせへの少なくとも１つのフィールドの値の第２のマッピングが第２のユーザ装置へシグナルされることができる。
【００５９】
上で注記されたように、ｘＳＦ／ＣＩＦは、制御情報がＰＤＣＣＨを送信するために使用される同じまたは異なるコンポーネントキャリアにおける１つまたは複数のサブフレームにおいて適用されることを示すことができる。
【００６０】
例えば、図５に例示されるように、いくつかの場合において、ｘＳＦ／ＣＩＦは単にクロスキャリア方式で送信をスケジュールできる。例示された事例において、１タイムインスタンスで、ｘＳＦ／ＣＩＦはＣＣ１上のＰＤＣＣＨが同じフレームにおけるＣＣ２およびＣＣ３上の送信をスケジュールすることを示す。
【００６１】
図６に例示されるように、異なるタイムインスタンスにおいて、ｘＳＦ／ＣＩＦは異なるサブフレームにわたるＣＣ２およびＣＣ３データ送信（クロスキャリアおよびクロスサブフレーム）上の送信をＰＤＣＣＨがスケジュールすることを示すことができる。図５および６において例示される事例を実現するために、ｘＳＦ／ＣＩＦ値のマッピングはクロスキャリアおよびクロスサブフレームの両方を考慮に入れることができる。一例では、サブフレームｎにおけるＣＣ１上で送信されたＰＤＣＣＨはＣＣ１（サブフレームｎデータ送信）、ＣＣ２（サブフレームｎおよびｎ＋１データ送信）、およびＣＣ３（サブフレームｎおよびｎ＋３データ送信）をスケジュールできる。３ビットｘＳＦ／ＣＩＦ値のマッピングの一例は、次に、例えば、次のように定義できる。
【００６２】
・  ０００:ＣＣ１，ｎ
・  ００１：ＣＣ２，ｎ
・  ０１０：ＣＣ２，ｎ＋１
・  ０１１：ＣＣ３，ｎ
・  １００：ＣＣ３，ｎ＋３
ある態様によれば、例えば、図７に例示されるように、複数のサブフレーム上で複数のデータ（ダウンリンクおよび／またはアップリンク）送信をスケジュールすることも可能である。この場合、追加のＣＩＦマッピングが定義できる。例えば：
・  １０１：ＣＣ３，ｎおよびｎ＋３
マルチサブフレームスケジューリングの場合、様々なスケジューリング情報をどのように適用するのかの問題がまだありうる。例として、電力制御コマンドの場合、コマンドは、全てのスケジュールされたＰＵＳＣＨ送信へ、またはセットにおける第１のＰＵＳＣＨ送信のみへ、または他の組み合わせへ適用できる。他の事例として、非周期的なＣＱＩレポートの場合、レポートは、第１のＰＵＳＣＨ送信（例えば、ＬＴＥ  Ｒｅｌ−８構成＃０）においてのみ搬送できるが、他のバリエーションも可能でありうる。
【００６３】
ある態様によれば、ＰＵＣＣＨ電力制御コマンド（ＤＬ  ＤＣＩフォーマットにおいて搬送される）は、上述のＰＵＳＣＨ電力制御の設計と同じ設計を使用できる。ダウンリンク割当てインデックス（ＤＬ  ＤＣＩフォーマットにおいて搬送される）の場合、値が（現在のＬＴＥ  Ｒｅｌ−８ＴＤＤにおけるように）さらにＤＬ割当ての累積的数を示すことができるが、カウンターは（全てのサブフレームおよび／またはキャリアにわたる）この単一のＰＤＣＣＨにおけるＰＤＳＣＨ割当ての総数を考慮に入れうる。
【００６４】
図８Ａにおいて例示されるように、単一のｘＳＦ／ＣＩＦフィールドの異なる値は、サブフレームおよび／またはキャリアの異なる組み合わせへマップされることができる。代替として、図８Ｂにおいて示されるように、クロスキャリアおよびマルチサブフレームスケジューリングの表示は、２つ以上のフィールドの組み合わせで実現できる。例として、ダウンリンク割当ての場合、ＣＩＦおよびＤＬインデックスが使用できる。ＤＬインデックスは、ＬＴＥ  Ｒｅｌ−８におけるＤＣＩフォーマット０でのようなＵＬインデックスのものと同様に定義できるのに対し、ＤＬインデックスのためのビット数は仕様毎またはレイヤ３構成毎でありうる。アップリンク割当ての場合、ＣＩＦおよびＵＬインデックスが使用できる。改めて、ＵＬインデックスのためのビット数は仕様毎またはレイヤ３構成毎でありうる。
【００６５】
複数の異なるセル中の干渉調整の目的では、ＵＥが複数の異なるキャリアおよび／または複数のサブフレームのための複数の異なる電力制御パラメータを維持することが望ましいことがある。これを達成するために、様々なメカニズムが適切でありうる。第１に、別々の電力制御パラメータでのリソースの構成（キャリアサブフレームの組み合わせ）が特定される（例えば、規格で承認されたり、レイヤ３シグナリングで特定されたりする）ことができる。第２に、ＵＬリソースへのＤＬ電力制御コマンドのマッピングは暗示的（例えば、対応するＤＬリソースまたは制御エレメントへのＵＬリソースの固定されたマッピングで）または明示的（例えば、対応するＣＦＩおよび／またはＵＬサブフレームインデックスで）、またはより一般的には、リソースインデックスでありうる。
【００６６】
本開示に関係して説明された様々な例示的論理ブロック、モジュール、および回路は、本願において説明された機能を行うように設計された、汎用プロセッサ、デジタル信号プロセッサ（ＤＳＰ）、特定用途集積回路（ＡＳＩＣ）、フィールドプログラマブルゲートアレイ信号（ＦＰＧＡ）または他のプログラマブル論理デバイス（ＰＬＤ）、離散ゲートまたはトランジスタ論理、離散ハードウェアコンポーネントまたはこれらの任意の組み合わせで実現または行うことができる。汎用プロセッサはマイクロプロセッサでありうるが、代わりに、このプロセッサは任意の商業上利用可能なプロセッサ、コントローラ、マイクロコントローラ、または状態機械でありうる。また、プロセッサがコンピュータ計算デバイスの組み合わせ（例えば、ＤＳＰとマイクロプロセッサとの組み合わせ、複数のマイクロプロセッサ、ＤＳＰコアと関連した１つまたは複数のマイクロプロセッサ、または任意の他のそのような構成）として実現されうる。
【００６７】
本開示に関連して説明された方法やアルゴリズムのステップは、ハードウェア、プロセッサによって実行されるソフトウェアモジュール、またはその２つの組み合わせで直接的に実施できる。ソフトウェアモジュールは、当業者に既知である任意の形式の記憶媒体に存在できる。使用できる記憶媒体のいくつかの事例は、ランダムアクセスメモリ（ＲＡＭ）、読み出し専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭ、などを含む。ソフトウェアモジュールは、単一の命令または多くの命令を備えることができ、異なるプログラム中で、いくつかの異なるコードセグメント上で、および複数の記憶媒体にわたって分散できる。記憶媒体は、プロセッサが記憶媒体から情報を読み出したり、記録媒体に情報を書き込んだりできるようにプロセッサに結合できる。代わって、記録媒体はプロセッサと一体化されることができる。
【００６８】
本願に開示された方法は、説明された方法を達成するために１つまたは複数のステップまたは動作を備える。方法、ステップ、および／または動作は、特許請求の範囲から逸脱することなく互いに入れ替えできる。言いかえれると、特定のステップおよび／または動作の順番および／または使用は、ステップまたは動作の特定の順番が指定されない限り、特許請求の範囲から逸脱することなく変形できる。
【００６９】
説明した機能は、ハードウェア、ソフトウェア、ファームウェア、またはこれらの任意の組み合わせで実現できる。ソフトウェアで実現される場合、これら機能は、コンピュータ可読媒体上で1つまたは複数の命令として記憶できる。記憶媒体は、コンピュータによってアクセスできる任意の利用可能な媒体でありうる。限定でなく一例として、このようなコンピュータ可読媒体は、ＲＡＭ、ＲＯＭ、ＥＥＰＲＯＭ、ＣＤ−ＲＯＭ、または他の光ディスク記憶装置、磁気ディスク記憶装置または他の磁気記憶装置、またはコンピュータによってアクセス可能な命令形式またはデータ構造で所望のプログラムコードを搬送または記憶するために使用できる任意の他の媒体を備えることができる。本願において使用されるように、ディスク（diskおよびdisc）は、コンパクトディスク（ＣＤ）、レーザーディスク(登録商標)、光ディスク、デジタルバーサタイルディスク（ＤＶＤ）、フロッピー(登録商標)ディスク、およびブルーレイ(登録商標)ディスクを含む。ここで、通常、disksは、磁気的にデータを再生するのに対し、discsは、レーザーにより光学的にデータを再生する。
【００７０】
例えば、そのようなデバイスは、本願において説明される方法を行うための手段の伝送を容易にするためにサーバに結合できる。代わりに、本願において説明された様々な方法は、ユーザ端末および／または基地局が、デバイスへの記憶手段を結合または提供する際に様々な方法を得ることができるように、記憶手段（例えば、ＲＡＭ、ＲＯＭ、コンパクトディスク（ＣＤ）またはフロッピーディスクなどのような物理的記憶媒体など）を通して提供できる。さらに、デバイスに対する本願において説明された方法および技術を提供するための任意の他の適切な技術が利用できる。
【００７１】
特許請求の範囲は上で例示された厳密な構成およびコンポーネントに限定されないことが理解されるべきである。様々な変形、変更、およびバリエーションが、特許請求の範囲から逸脱することなく、上述の方法および装置の配列、動作、および詳細において為されることができる。
【００７２】
前述が本開示の態様に向けられているのに対し、本開示の他の態様およびさらなる態様は、それらの基本的な範囲から逸脱することなく考案されることができ、それらの範囲は、以下の特許請求の範囲によって決定される。
これに先立ち、本件出願当初の特許請求の範囲に記載された発明を付記する。
[ＣＬ１]
無線通信のための方法であって、
１つまたは複数のサブフレームにおける送信をスケジュールするための制御情報を生成することと、
少なくとも１つのフィールドをともなうダウンリンク制御チャネルにおいてユーザ装置へ前記制御情報を送信することと、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
を備える方法。
[ＣＬ２]
複数のサブフレームおよび複数のコンポーネントキャリアの異なる組み合わせへの前記少なくとも１つのフィールドの値のマッピングを前記ユーザ装置へシグナリングすることをさらに備える、ＣＬ１に記載の方法。
[ＣＬ３]
前記シグナリングは、
複数のサブフレームおよび複数のコンポーネントキャリアの異なる組み合わせへの前記少なくとも１つのフィールドの値の第１のマッピングを第１のユーザ装置へシグナリングすることと、
複数のサブフレームおよび複数のコンポーネントキャリアの異なる組み合わせへの前記少なくとも１つのフィールドの値の第２のマッピングを第２のユーザ装置へシグナリングすることと、
を備える、ＣＬ２に記載の方法。
[ＣＬ４]
前記少なくとも１つのフィールドの前記値のうちの少なくとも１つは、前記制御情報が同じコンポーネントキャリアの複数のダウンリンクサブフレームに適用されることとなることを示す、ＣＬ１に記載の方法。
[ＣＬ５]
前記複数のダウンリンクサブフレームは、前記ダウンリンク制御チャネルが送信される前記ダウンリンクサブフレームを備える、ＣＬ４に記載の方法。
[ＣＬ６]
前記ダウンリンク制御チャネルは第１のコンポーネントキャリア上で送信され、
前記少なくとも１つのフィールドの前記値のうちの少なくとも１つは前記制御情報が第２のコンポーネントキャリアの１つまたは複数のサブフレームに適用されることとなることを示す、ＣＬ１に記載の方法。
[ＣＬ７]
前記少なくとも１つのフィールドは、
キャリアインジケータフィールドと、
アップリンクインデックスまたはダウンリンクインデックスのうちの少なくとも１つと
を備える少なくとも２つのフィールドを備える、ＣＬ１に記載の方法。
[ＣＬ８]
前記制御情報は１つまたは複数の電力制御コマンドを備える、ＣＬ１に記載の方法。
[ＣＬ９]
前記少なくとも１つのフィールドは複数の異なる電力制御コマンドが複数の異なるアップリンクサブフレームへ適用されることを示す、ＣＬ８に記載の方法。
[ＣＬ１０]
前記少なくとも１つのフィールドは複数の異なる電力制御コマンドが複数の異なるコンポーネントキャリアへ適用されることを示す、ＣＬ８に記載の方法。
[ＣＬ１１]
無線通信のための方法であって、
少なくとも１つのフィールドをともなうダウンリンク制御チャネルにおいて制御情報を受信することと、ここにおいて、前記少なくとも１つのフィールドの異なる値は前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定することと、
を備える方法。
[ＣＬ１２]
複数のサブフレームおよび複数のコンポーネントキャリアの異なる組み合わせへの前記少なくとも１つのフィールドの値のマッピングを示すシグナリングを基地局から受信することをさらに備える、ＣＬ１１に記載の方法。
[ＣＬ１３]
前記示されたマッピングの値は複数の異なるユーザ装置（ＵＥ）について異なる、ＣＬ１２に記載の方法。
[ＣＬ１４]
前記少なくとも１つのフィールドの前記値のうちの少なくとも１つは前記制御情報が同じコンポーネントキャリアの複数のダウンリンクサブフレームに適用されることを示す、ＣＬ１１に記載の方法。
[ＣＬ１５]
前記複数のダウンリンクサブフレームは、前記ダウンリンク制御チャネルが送信される前記ダウンリンクサブフレームを備える、ＣＬ１４に記載の方法。
[ＣＬ１６]
前記ダウンリンク制御チャネルは第１のコンポーネントキャリア上で受信され、
前記少なくとも１つのフィールドの前記値のうちの少なくとも１つは前記制御情報が第２のコンポーネントキャリアの１つまたは複数のサブフレームに適用されることを示す、ＣＬ１１に記載の方法。
[ＣＬ１７]
前記少なくとも１つのフィールドは、
キャリアインジケータフィールドと、
アップリンクインデックスまたはダウンリンクインデックスのうちの少なくとも１つと、
を備える少なくとも２つのフィールドを備える、ＣＬ１１に記載の方法。
[ＣＬ１８]
前記制御情報は１つまたは複数の電力制御コマンドを備える、ＣＬ１１に記載の方法。
[ＣＬ１９]
前記少なくとも１つのフィールドは複数の異なる電力制御コマンドが複数の異なるアップリンクサブフレームへ適用されることを示す、ＣＬ１８に記載の方法。
[ＣＬ２０]
前記少なくとも１つのフィールドは複数の異なる電力制御コマンドが複数の異なるコンポーネントキャリアへ適用されることを示す、ＣＬ１８に記載の方法。
[ＣＬ２１]
無線通信のための装置であって、
１つまたは複数のサブフレームにおける送信をスケジュールするための制御情報を生成するための手段と、
少なくとも１つのフィールドをともなうダウンリンク制御チャネルにおいてユーザ装置へ前記制御情報を送信するための手段を備え、前記少なくとも１つのフィールドの異なる値は前記制御情報が適用されることとなる１つまたは複数のサブフレームおよび１つまたは複数のコンポーネントキャリアの異なる組み合わせを示す、装置。
[ＣＬ２２]
複数のサブフレームおよび複数のコンポーネントキャリアの異なる組み合わせへの前記少なくとも１つのフィールドの値のマッピングを前記ユーザ装置へシグナリングするための手段をさらに備える、ＣＬ２１に記載の装置。
[ＣＬ２３]
前記シグナリングは、
複数のサブフレームおよび複数のコンポーネントキャリアの異なる組み合わせへの前記少なくとも１つのフィールドの値の第１のマッピングを第１のユーザ装置へシグナリングするための手段と、
複数のサブフレームおよび複数のコンポーネントキャリアの異なる組み合わせへの前記少なくとも１つのフィールドの値の第２のマッピングを第２のユーザ装置へシグナリングするための手段と、
を備える、ＣＬ２２に記載の装置。
[ＣＬ２４]
前記少なくとも１つのフィールドの前記値の少なくとも１つは前記制御情報が同じコンポーネントキャリアの複数のダウンリンクサブフレームに適用されることを示す、ＣＬ２１に記載の装置。
[ＣＬ２５]
前記マルチプルダウンリンクサブフレームは前記ダウンリンク制御チャネルが送信される前記ダウンリンクサブフレームを備える、ＣＬ２４に記載の装置。
[ＣＬ２６]
前記ダウンリンク制御チャネルは第１のコンポーネントキャリア上で送信され、
前記少なくとも１つのフィールドの前記値のうちの少なくとも１つは前記制御情報が第２のコンポーネントキャリアの１つまたは複数のサブフレームに適用されることを示す、ＣＬ２１に記載の装置。
[ＣＬ２７]
前記少なくとも１つのフィールドは、
キャリアインジケータフィールドと、
アップリンクインデックスまたはダウンリンクインデックスのうちの少なくとも１つと、
を備える少なくとも２つのフィールドを備える、ＣＬ２１に記載の方法。
[ＣＬ２８]
前記制御情報は１つまたは複数の電力制御コマンドを備える、ＣＬ２１に記載の装置。
[ＣＬ２９]
前記少なくとも１つのフィールドは複数の異なる電力制御コマンドが複数の異なるアップリンクサブフレームに適用されることを示す、ＣＬ２８に記載の装置。
[ＣＬ３０]
前記少なくとも１つのフィールドは複数の異なる電力制御コマンドが複数の異なるコンポーネントキャリアに適用されることを示す、ＣＬ２８に記載の装置。
[ＣＬ３１]
無線通信のための装置であって、
少なくとも１つのフィールドをともなうダウンリンク制御チャネルにおいて制御情報を受信するための手段と、ここにおいて、前記少なくとも１つのフィールドの異なる値は前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定するための手段と、
を備える装置。
[ＣＬ３２]
複数のサブフレームおよび複数のコンポーネントキャリアの異なる組み合わせへの前記少なくとも１つのフィールドの値のマッピングを示すシグナリングを基地局から受信するための手段をさらに備える、ＣＬ３１に記載の装置。
[ＣＬ３３]
前記示された値のマッピングは複数の異なるユーザ装置（ＵＥ）について異なる、ＣＬ３２に記載の装置。
[ＣＬ３４]
前記少なくとも１つのフィールドの前記値の少なくとも１つは前記制御情報が同じコンポーネントキャリアの複数のダウンリンクサブフレームに適用されることを示す、ＣＬ３１に記載の装置。
[ＣＬ３５]
前記複数のダウンリンクサブフレームは前記ダウンリンク制御チャネルが送信されることとなる前記ダウンリンクサブフレームを備える、ＣＬ３４に記載の装置。
[ＣＬ３６]
前記ダウンリンク制御チャネルは第１のコンポーネントキャリア上で受信され、
前記少なくとも１つのフィールドの前記値の少なくとも１つは前記制御情報が第２のコンポーネントキャリアの１つまたは複数のサブフレームに適用されることとなることを示す、ＣＬ３１に記載の装置。
[ＣＬ３７]
前記少なくとも１つのフィールドは、
キャリアインジケータフィールドと、
アップリンクインデックスまたはダウンリンクインデックスのうちの少なくとも１つと、
を備える少なくとも２つのフィールドを備える、ＣＬ３１に記載の装置。
[ＣＬ３８]
前記制御情報は１つまたは複数の電力制御コマンドを備える、ＣＬ３１に記載の装置。
[ＣＬ３９]
前記少なくとも１つのフィールドは複数の異なる電力制御コマンドが複数の異なるアップリンクサブフレームに適用されることを示す、ＣＬ３８に記載の装置。
[ＣＬ４０]
前記少なくとも１つのフィールドは複数の異なる電力制御コマンドが複数の異なるコンポーネントキャリアに適用されることを示す、ＣＬ３８に記載の装置。
[ＣＬ４１]
無線通信のための装置であって、
１つまたは複数のサブフレームにおける送信をスケジュールするための制御情報を生成するように構成される生成コンポーネントと、
少なくとも１つのフィールドをともなうダウンリンク制御チャネルにおいてユーザ装置へ前記制御情報を送信するように構成される送信コンポーネントと、
を備え、
前記少なくとも１つのフィールドの異なる値は前記制御情報が適用されることとなる１つまたは複数のサブフレームおよび１つまたは複数のコンポーネントキャリアの異なる組み合わせを示す、装置。
[ＣＬ４２]
無線通信のための装置であって、
少なくとも１つのフィールドをともなうダウンリンク制御チャネルにおいて制御情報を受信するように構成される受信コンポーネントと、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組合わせを前記少なくとも１つのフィールドの値に基づいて決定されるように構成されるスケジューリングコンポーネントと、
を備える装置。
[ＣＬ４３]
記憶される複数の命令を有するコンピュータ可読媒体を備える無線通信のためのコンピュータ・プログラム・プロダクトであって、前記複数の命令は１つまたは複数のプロセッサによって実行可能であり、前記複数の命令は、  
１つまたは複数のサブフレームにおける送信をスケジュールするための制御情報を生成するための複数の命令と、
少なくとも１つのフィールドをともなうダウンリンク制御チャネルにおいてユーザ装置へ前記制御情報を送信するための複数の命令とを備え、
前記少なくとも１つのフィールドの異なる値は前記制御情報が適用されることとなる１つまたは複数のサブフレームおよび１つまたは複数のコンポーネントキャリアの異なる組み合わせを示す、コンピュータ・プログラム・プロダクト。
[ＣＬ４４]
記憶される複数の命令を有するコンピュータ可読媒体を備える無線通信のためのコンピュータ・プログラム・プロダクトであって、前記複数の命令は１つまたは複数のプロセッサによって実行され、前記複数の命令は、
少なくとも１つのフィールドをともなうダウンリンク制御チャネルにおいて制御情報を受信するための複数の命令と、ここにおいて、前記少なくとも１つのフィールドの異なる値は、前記制御情報が適用されることとなる１つまたは複数のサブフレームおよび１つまたは複数のコンポーネントキャリアの異なる組み合わせを示す、
前記制御情報が適用されることとなる１つまたは複数のサブフレームおよび１つまたは複数のコンポーネントキャリアの組み合わせを前記少なくとも１つのフィールドの値に基づいて決定するための複数の命令と、
を備えるコンピュータ・プログラム・プロダクト。
【図１】
0005420771.tif 000003
【図２】
0005420771.tif 000004
【図３】
0005420771.tif 000005
【図４】
0005420771.tif 000006
【図５】
0005420771.tif 000007
【図６】
0005420771.tif 000008
【図７】
0005420771.tif 000009
【図８Ａ】
0005420771.tif 000010
【図８Ｂ】
0005420771.tif 000011